(57)【要約】 【課題】泥棒が用いるドリル、バール等の暴力的破壊行為に対して、少なくとも化粧板のメネジ水平杆を守ることができる引戸用錠前を提案すること。【解決手段】外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記外側ケース部材３または／及び内側ケース部材１３は、ケース本体と化粧板との間に介在し、かつ、少なくとも化粧板（６．１８）の上下の水平メネジ杆（６ａ．１８ａ）を防御する枠状の硬質防御内側板（５．１７）を備えていることを特徴とする引戸用錠前。【選択図】  図１
2005200996.tif 000002
【特許請求の範囲】
【請求項１】
外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記受け金具の機能を有する外側ケース部材３は、ケース本体４と外側化粧板６との間に介在し、かつ、外側化粧板６の上下の水平メネジ杆６ａ．６ａを防御する枠状の硬質防御外側板５を備えていることを特徴とする引戸用錠前。
【請求項２】
請求項１に於いて、硬質防御外側板５は、ケース本体４の前面全体及び外側化粧板６の上下の水平メネジ杆６ａ．６ａを防御することができるようにケース状に形成されていることを特徴とする引戸用錠前。
【請求項３】
外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記内側ケース部材１３は、ケース本体１５と内側化粧板１８との間に介在し、かつ、少なくとも内側化粧板１８の上下の水平メネジ杆１８ａ．１８ａを防御する枠状の硬質防御内側板１７を備えていることを特徴とする引戸用錠前。
【請求項４】
請求項３に於いて、硬質防御内側板１７は、上下の水平メネジ杆１８ａ．１８ａ及びケース本体１５を囲むようにケース状に形成されていることを特徴とする引戸用錠前。
【請求項５】
請求項３に於いて、鎌片２３の中間部２３ｂは、軸孔３３及び係合孔２６を有する幅広後端部２３ａからやや扇状に形成されていると共に、前記固定支軸２４を中心とする円弧上に弧状外周面２７を有し、該鎌片２３は、施錠時、内側ケース部材のフロント板１６の鎌片用開口縁部１９ｂと前記弧状外周面２７との間に略間隙が生じないように軸支されていることを特徴とする引戸用錠前。
【請求項６】
請求項３に於いて、外側引戸１が戸枠であり、一方、内側引戸１１が戸枠に衝突する戸先錠用の引戸であることを特徴とする引戸用錠前。
【請求項７】
外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記受け金具の機能を有する外側ケース部材３は、ケース本体４と外側化粧板６との間に介在し、かつ、外側化粧板６の上下の水平メネジ杆６ａ．６ａを防御する枠状の硬質防御外側板５を備えており、一方、前記内側ケース部材１３は、ケース本体１５と内側化粧板１８との間に介在し、かつ、内側化粧板１８の上下の水平メネジ杆１８ａ．１８ａを防御する枠状の硬質防御内側板１７を備えていることを特徴とする引戸用錠前。
【発明の詳細な説明】
【技術分野】
【０００１】
本発明は、戸先錠、引き違い戸錠などの引戸用錠前に関する。
【背景技術】
【０００２】
引戸用錠前の一例である引き違い戸錠は、外側引戸と内側引戸にそれぞれユニット的に取り付けられるが、建物の引戸の存在する場所によって、両方の引戸に内外の施錠機構をそれぞれ設ける場合、内側引戸にのみ操作部（サムターン摘み、内側シリンダー錠）を有する内側錠機構を設ける場合がある。前者の場合には、外側錠機構は、普通一般に外側シリンダー錠を備えている。
【０００３】
ところで、例えば外側シリンダー錠用の化粧リングは、板金加工により製作した薄板素材のすい台状の筒体であることから、泥棒にとっては七つ道具の挟み部を有するプライヤー、バール、ドリルなどの工具を用いて化粧リングを変形させることが容易である。そこで、泥棒は挟み部を有するプライヤーを用い、化粧リングとともに、固定筒、シリンダー錠等を攻撃（もぎ取り行為など）する。このようには攻撃に対して、出願人は、化粧リングをこじあけ、外周壁が露出したシリンダー錠に大きな外力を加えることによってシリンダー錠がもぎ取られないように、化粧リング並びに固定筒を改良した錠構造を提案した（特開２００３−１２００８３公報）。
【０００４】
近年、泥棒の手口が悪化し、戸先錠、引き違い戸錠などの引戸用錠前にも防犯対策を講じることが要望されている。
【特許文献１】特許公開２００３−１２００８３号公報
【発明の開示】
【発明が解決しようとする課題】
【０００５】
本発明の第１の目的は、近年の防犯対策の要望に鑑み、引戸用錠前に対する泥棒の暴力的破壊行為に対処するために、内側化粧板又は／及び外側化粧板の上下の水平メネジ杆（６ａ．６ａ．１８ａ．１８ａ）及び外側や内側のケース本体を守ることができる引戸用錠前を提案することである。第２の目的は、極力シンプルな構造により、内側又は／及び外側ケース本体（４．１５）の全体並びに内側化粧板又は／及び外側化粧板の上下の水平メネジ杆を守ることができることである。
【課題を解決するための手段】
【０００６】
本発明の引戸用錠前は、外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記受け金具の機能を有する外側ケース部材３は、ケース本体４と外側化粧板６との間に介在し、かつ、外側化粧板６の上下の水平メネジ杆６ａ．６ａを防御する枠状の硬質防御外側板５を備えていることを特徴とする（第１の発明）。
【０００７】
また本発明の引戸用錠前は、外側引戸に取付けられる外側ケース部材３と、内側引戸１１に取付けられる内側ケース部材１３と、該内側ケース部材１３に設けられかつ鎌片を備えた内側錠機構１４とを備えている引戸用錠前に於いて、前記内側ケース部材１３は、ケース本体１５と内側化粧板１８との間に介在し、かつ、少なくとも内側化粧板１８の上下の水平メネジ杆１８ａ．１８ａを防御する枠状の硬質防御内側板１７を備えていることを特徴とする（第２の発明）。
【０００８】
さらに、本発明の引戸用錠前は、上記第１の発明の主要部と第２の発明の主要部とを結合したことを特徴とする（第３の発明）。
【０００９】
上記第１ないし第３の発明に於いて、硬質防御外側板５又は／及び硬質防御内側板１７は、それぞれ内外の上下の水平メネジ杆（６ａ．６ａ．１８ａ．１８ａ）及びケース本体（４．１５）を囲むようにケース状に形成されていることを特徴とする。
【発明の効果】
【００１０】
（１）請求項１または請求項５に記載の発明は、泥棒が用いるドリル、バール等の暴力的破壊行為に対して、少なくとも外側化粧板のメネジ水平杆を守ることができる。これらの発明は、外側錠機構を有する、有しないに係らず、引き違いの引戸用錠前に適合する。
【００１１】
（２）一方、請求項３に記載の発明は、泥棒が用いるドリル、バール等の暴力的破壊行為に対して内側化粧板のメネジ水平杆を守ることができる。この発明は、戸枠に対して一枚の引戸を開閉する引戸錠に有効である。
【発明を実施するための最良の形態】
【００１２】
以下、図１乃至図７に示す本発明の一実施例を説明する。この一実施例の錠前Ｘは、引き違い戸に取付けられているが、引戸全般に適宜に取付けても良い。
【００１３】
Ｘは引戸用錠前、１は外側引戸、２は外框、３は硬質防御外側板を有する外側ケース部材、一方、１１は内側引戸、１２は内框、１３は硬質防御内側板を有する内側ケース部材である。以下、これらの基本的な構成部材を中心に説明し、内外の施・解錠機構（ここでは「内側錠機構」並びに「外側錠機構」と言う）の細部につては説明を割愛する。
【００１４】
（１）引戸用錠前Ｘ
図１で示すように、本実施例の引戸用錠前Ｘは、外側引戸１の外框２に取付けられ、かつ、ケース本体４と外側化粧板３との間に介在すると共に、少なくとも外側化粧板６の水平メネジ杆６ａ．６ａを防御する上・下壁を有する枠状に形成された硬質防御外側板５を備えた外側ケース部材３と、内側引戸１１の内框１２に取付けられ、かつ、ケース本体１５と内側化粧板１８との間に介在すると共に、少なくとも内側化粧板１８の水平メネジ杆１８ａ．１８ａを防御する上・下壁を有する枠状に形成された硬質防御内側板１７を備えた内側ケース部材１３と、該内側ケース部材１３に設けられ、かつ、鎌片２３を備えた内側錠機構１４とから構成されている。
【００１５】
本実施例の外側ケース部材３は、シリンダー錠、動力伝達部材等の外側錠機構５１を有する。また外側ケース部材３は、トロヨケ、ストライク等を備えた鎌片用の受け金具の機能を有する。
【００１６】
（２）外側ケース部材３
外側ケース部材３は、外框２の開口部に内装されるケース本体（ケース身、ケース蓋或いは裏板など）４と、このケース本体４の屋外側壁面に硬質防御外側板５を介して外框２に固定される外側化粧板６と、ケース本体４の内側引戸１１側に位置し、かつ、該ケース本体４の開口端面或いは壁面に固定されるストライク７から構成されている。外側ケース部材３を構成するケース本体４、硬質防御外側板５、外側化粧板６、ストライク７は、その形状如何を問わず、外側引戸1(外框２)に取付けられる一つのユニットを構成する。
【００１７】
本実施例では、前記硬質防御外側板５とストライク７は、浸炭焼き入れされている。外側化粧板６は、内壁面の上下端部に硬質防御外側板５の前壁５ａの支持孔４１．４１にそれぞれ嵌入される上下の水平メネジ杆６ａ，６ａを有し、これらの水平メネジ杆６ａ，６ａにストライク７の上下端部の取付け孔を貫通する固着具８、８が螺合する。前記上下の水平メネジ杆６ａ，６ａないしケース本体４を全体的または部分的にカバーする枠状の硬質防御外側板５については後述する。
【００１８】
（３）内側ケース部材１３
一方、内側ケース部材１３は、内框１２の開口部に内装されるケース本体１５（ケース身、ケース蓋或いは裏板など）と、ケース本体１５の屋外側端面或いは壁面の硬質防御フロント板１６と、ケース本体１５の屋内側の端面あるいは壁面に硬質防御内側板１７を介して固定される内側カバー(通称、「内側エスカチオン」又は「化粧板」)１８とから構成されている。内側化粧板１８を構成するケース本体１５、硬質防御フロント板１６、硬質防御内側板１７及び内側化粧板１８は、その形状如何を問わず、内側引戸１１(内框１２)に取付けられる一つのユニットを構成する。本実施例では、硬質防御内側板１７及び硬質防御フロント板１６は、浸炭焼き入れされている。
【００１９】
内側ケース部材１３の硬質防御フロント板１６及びケース本体１５の下端部には、後述する鎌片２３が出入りする鎌片用開口１９が形成されている。また内側カバー(内側化粧板)１８は、内壁面の上下端部に水平メネジ杆１８ａ，１８ａを有し、これらの水平メネジ杆１８ａ，１８ａにフロント板１６の上下端部の取付け孔を貫通する固着具２０、２０が螺合する。
【００２０】
内側化粧板１８の上下の水平メネジ杆１８ａ，１８ａないしケース本体１５を全体的または部分的にカバーする硬質防御内側板１７については後述する。
【００２１】
（４）内側錠機構１４
内側錠機構１４は、少なくとも内側化粧板１８の中央部に上下方向にスライド自在に設けられた操作部（本実施例ではサムターン摘み部材）２１と、この操作部２１の操作力により上下動するようにケース本体１５内に設けられた適宜形状の作動板２２と、この作動板２２の一端部に軸支された鎌片２３とを備えている。
【００２２】
（５）鎌片２３
鎌片２３は、図６で示すように、ケース本体１５に横設軸架された固定支軸２４に軸支され、かつ、作動板２２の作動軸２５が係合するＴ字型状の係合孔２６を有する幅広後端部２３ａと、この幅広後端部２３ａにやや扇状に連設しかつ前記固定支軸２４を中心とする円弧上に弧状外周面２７を有する中間部２３ｂと、この中間部２３ｂに連設し、かつ、前記弧状外周面２７と同一曲率（略同一に連続する場合も含む）で連続する弧状外周面２８を有する指先状先端部２３ｃとから構成されている。
【００２３】
しかして、鎌片２３は、図７で示すように硬質防御のフロント板１６の開口１９の左右の縁部１９ａ、１９ａと左右の掛合片２９，２９との間にそれぞれ略間隙を生じないように合計４枚の掛合片を一体的に結合している。また、鎌片２３の中間部２３ｂの弧状外周面２７は、施錠時、開口１９の一方の縁部（図２では下方の縁部）１９ｂと略間隙を生じないように形成されている。ここで、「間隙を生じない」とは、泥棒が用いるドリル又はバールが容易に差し込むことができない隙間の意味合いである。
【００２４】
したがって、例えば鎌片２３の中間部２３ｂの弧状外周面２７とフロント板１６の開口１９の縁部１９ｂとの間に５ｍｍとか、或いは６ｍｍの間隙が存在する場合には、ドリル、バールの先端部の差込みが容易になる可能性があるので、このような場合には間隙を生じないとは言わない反面、例えば２ｍｍや３ｍｍ程度は許容範囲である。
【００２５】
（６）クリックバネとバネ受け
本実施例の鎌片２３は、クリックバネ３１とバネ装着軸３２を備えている。鎌片２３の左右の掛合片２９，２９の間に介在する２枚の中間の掛合片３０，３０には、固定軸用軸孔３３や係合孔２６を有する後端部２３ａが設けられていない。すなわち、中間の掛合片３０の後端部２３ａは適宜にカットされている。
【００２６】
そこで、前記バネ装着軸３２用の支持孔３４が、前記左右の掛合片２９，２９の後端部２３ａと中間部２３ｂの境目部分に形成され、該支持孔３４に嵌挿されたバネ装着軸３２には、一端部３１ａが中間掛合片３０に圧接すると共に、他端部３１ｂが作動軸２５に圧接するクリックバネ３１が巻装されている。
【００２７】
（７）ストライク７
外側ケース部材３の長箱状ケース本体４の一側開口には、例えばケース蓋が設けられ、或いはケース蓋を有さずそのまま開口している。ケース本体４が鎌片用の開口、外側施錠片用開口等が形成されたケース蓋を有する場合には、このケース蓋に固定されるストライク７も、当然のことながら前記開口に符合するように鎌片用の進入口（開口窓）３８や施錠片用の進出口３９を有する。ストライク７がケース蓋を介して又は介さないでケース本体４に固定されると、固着具８用の貫通孔を有するストライク両端部は、図１で示すようにケース本体４の上壁４ａと下壁４ｂから突出する。
【００２８】
（８）硬質防御外側板５
図１、図３を参照にして硬質防御外側板５について説明する。硬質防御外側板５は、例えば外側化粧板６の上下の水平メネジ杆６ａ，６ａないしケース本体４を全体的にカバーすることができるように枠状（例えばケース状）に形成されている。したがって、図３を基準にすると、硬質防御外側板５は、前壁５ａ、上壁５ｂ、下壁５ｃ、左右の側壁５ｄ、５ｄを有する。
【００２９】
しかして、前記前壁５ａの中央部の上下端部には、水平メネジ杆６ａ，６ａがそれぞれ嵌入する１対の支持孔４１．４１が形成されている。また前壁５ａには、ケース本体４に外側錠機構５１が組み込まれる関係上、ケース本体４の装着嵌合孔４２並びに外側化粧板６の化粧開口４３の位置に符合する外側シリンダー錠５２用の嵌挿孔４４が形成されている。
【００３０】
ところで、上壁５ｂ、下壁５ｃの開口方向の内寸（内寸幅）は任意である。したがって、硬質防御外側板５をケース状に形成する場合、外側化粧板６の上下の水平メネジ杆６ａ，６ａの全体ではなく、一部（根元部分）のみをカバーするように短く形成しても良い。また左右の側壁５ｄ、５ｄは必須要件ではなく、省略しても良い。
【００３１】
硬質防御外側板５が左右の側壁５ｄ、５ｄを有しない場合に於いて、硬質防御外側板５は、例えば端面コ字型状に形成される。硬質防御外側板５は、長板状であっても良いが、ケース本体４のみならず、外側化粧板６の水平メネジ杆６ａ，６ａも防御する場合には、１対のＬ字型状、端面コ字型状、内寸幅の長短如何を問わずケース型状にそれぞれ形成される。
【００３２】
（９）硬質防御内側板１７
図１、図５を参照にして硬質防御内側板１７について説明する。硬質防御内側板１７は、例えば内側化粧板１８の上下の水平メネジ杆１８ａ，１８ａないしケース本体１５を全体的にカバーすることができるように枠状（例えばケース状）に形成されている。したがって、図５を基準にすると、硬質防御外側板１７は、後壁１７ａ、上壁１７ｂ、下壁１７ｃ、左右の側壁１７ｄ、１７ｄを有する。
【００３３】
しかして、前記後壁１７ａの中央部の上下端部には、水平メネジ杆１８ａ，１８ａがそれぞれ嵌入する１対の支持孔４６．４６が形成されている。また後壁１７ａには、ケース本体１５に内側錠機構１４が組み込まれる関係上、ケース本体１５の操作部用切欠部４７並びに内側化粧板１３の化粧切欠部４８の位置に符合する操作部２１用の切欠部４９が形成されている。
【００３４】
ところで、硬質防御内側板１７の上壁５ｂ、下壁５ｃの開口方向の内寸（内寸幅）も硬質防御外側板５と同様に任意である。すなわち、硬質防御内側板１７をケース状に形成する場合、内側化粧板１８の上下の水平メネジ杆１８ａ，１８ａの全体ではなく、一部（根元部分）のみをカバーするように短く形成しても良い。また、左右の側壁１７ｄ、１７ｄは必須要件ではなく、省略しても良い。硬質防御内側板１７が左右の側壁１７ｄ、１７ｄを有しない場合に於いて、硬質防御内側板１７は、例えば１対のＬ字型状、端面コ字型状、内寸幅の長短如何を問わずケース型状にそれぞれ形成される。
【００３５】
（１０）外側錠機構
引戸の態様如何によって外側ケース部材３に外側錠機構を設けることは必須要件ではない。しかし、本実施例では外側錠機構５１が設けられている。この外側錠機構５１は、例えば外側ケース部材３に対して、合鍵によって作動する外側のシリンダー錠５２と、外側シリンダー錠５２の出力軸に固定したピニオン５３及び該ピニオン５３に噛合するようにケース本体４内に縦方向に配設されたラック５４とを備えた動力伝達部材５５と、ケース本体４の適宜箇所に設けられた突起軸５６に軸支され、かつ、案内部（ガイド突起、弧状係合孔など）５７ａ、５７ｂに案内されながら回転して内側ケース部材１３に係合する外側施錠片５８とから成る。
【００３６】
なお、外側ケース部材３に外側錠機構５１を設けた場合には、内側ケース部材１３のフロント板１６及びケース本体１５に外側施錠片５８用の進入口或いは係合口５９、６０が形成される。また、この実施例の場合には、外側ケース部材３のストライク７及び内側ケース部材１３のフロント板１６の対向部分に回転式施錠片５８が出入りする開口部を設けるか必要性があるので、該開口部からドリル、バール等の工具が侵入されないように防御壁をストライク側又はフロント側に適宜に形成或いは設けるのが望ましい。
【実施例】
【００３７】
炭素鋼を焼き入れ処理してケース状に形成された内外の硬質防御板５．１７の材質は、例えば「Ｓ５５Ｃ」である。ここで記号「Ｓ」はｓｔｅｅｌのＳ、記号「Ｃ」は炭素のＣ、「Ｓ」と「Ｃ」の間の数値５５は、炭素Ｃの含有率が０．ナンパーセントであるかを意味する。したがって、「Ｓ５５Ｃ」は、炭素Ｃが０．５５パーセント入っている炭素鋼を意味する。
【００３８】
本発明の一実施例の錠前Ｘは、引き違い戸に取付けられているが、引戸全般に適宜に取付けても良い。例えば錠前Ｘが戸先錠である場合には、外側化粧板、硬質防御外側板５などを構成要件とする外側ケース部材３及び外側シリンダー錠５２を有する外側錠機構５１は不要となる。戸先錠の場合には、戸枠の受け金具（トロヨケに相当する外側のケース本体４及びストライク７）と、内側ケース部材１３と、鎌片２３を備えた内側錠機構１４が発明の特定要件と成る。
【００３９】
また、内側ケース部材１３の内側錠機構１４の作動板２２は、操作部材２１の操作力により上下動するが、引戸、錠前、操作部材等の取付け仕様如何によって、内側シリンダー錠に置換することもできる。
【産業上の利用可能性】
【００４０】
本発明は、引き違い戸、引き分け戸、戸枠に衝突する戸先型などの引戸用錠前に利用される。
【図面の簡単な説明】
【００４１】
図１乃至図７は本発明の一実施例を示す各説明図。
【図１】全体の概略断面説明図。
【図２】外側ケース部材の主要部の概略断面説明図。
【図３】硬質防御外側板を含む斜視からの概略説明図。
【図４】内側ケース部材の主要部の概略断面説明図。
【図５】硬質防御内側板を含む斜視からの概略説明図。
【図６】鎌片の施錠時の説明図。
【図７】鎌片の構成を示す説明図。
【符号の説明】
【００４２】
Ｘ…引戸用錠前、１…外側引戸、２…外框、３…外側ケース部材、４…ケース本体、４ａ…上壁、４ｂ…下壁、５…硬質防御外側板、５ａ…前壁、５ｂ…上壁、５ｃ…下壁、５ｄ…左右の側壁、４１…支持孔、４２…嵌合孔、４３…開口、４４…嵌挿孔、６…外側化粧板、６ａ…水平メネジ杆、７…ストライク、３８…進入口、３９…施錠片用進出口、８、２０…固着具、１１…内側引戸、１２…内框、１３…内側ケース部材、１４…内側錠機構、１５…ケース本体、４７、４８…切欠部、１６…フロント板、５９、６０…進入口、１７…硬質防御内側板、１７ａ…後壁、１７ｂ…上壁、１７ｃ…下壁、１７ｄ…左右の側壁、４６…支持孔、４９…切欠部、１８…内側化粧板、１９…鎌片用開口、１９ａ…左右の縁部、１９b…一方の縁部、２１…操作部、２２…作動板、２３…鎌片、２３ａ…幅広後端部、２３ｂ…中間部、２３ｃ…指先状先端部、２４…固定支軸、２５…作動軸、２６…係合孔、２７…中間部の弧状外周面、２８…先端部の弧状外周面、２９…左右の掛合片、３０…中間掛合片、３１…クリックバネ、３２…バネ装着軸、５１…外側錠機構。
【図１】
2005200996.tif 000003
【図２】
2005200996.tif 000004
【図３】
2005200996.tif 000005
【図４】
2005200996.tif 000006
【図５】
2005200996.tif 000007
【図６】
2005200996.tif 000008
【図７】
2005200996.tif 000009